(57)【要約】【課題】簡易な方法で釣糸を案内する部分を竿体に一体的に形成できる釣竿の製造方法を提供する。【解決手段】この方法は、繊維強化樹脂から筒状の竿体を製造する工程と、竿体の周面に熱硬化性樹脂を塗布する工程と、竿体の周面に塗布した熱硬化性樹脂上に棒材を配置する工程と、配置した棒材の周面からさらに熱硬化性樹脂を塗布し、竿体の径外方向に盛り上がる丘状部分を形成する工程と、熱硬化性樹脂の硬化後に棒材を引き抜く工程とを含むものである。【選択図】　　図２
2004097025.tif 000002
【特許請求の範囲】
【請求項１】
魚釣りに用いる釣竿の製造方法であって、
繊維強化樹脂から筒状の竿体を製造する工程と、
前記竿体の周面に熱硬化性樹脂を塗布する工程と、
前記竿体の周面に塗布した熱硬化性樹脂上に棒材を配置する工程と、
前記配置した棒材の周面からさらに熱硬化性樹脂を塗布し、前記竿体の径外方向に盛り上がる丘状部分を形成する工程と、
前記熱硬化性樹脂の硬化後に棒材を引き抜く工程と
を含む、釣竿の製造方法。
【発明の詳細な説明】
【０００１】
【発明の属する技術分野】
本発明は、魚釣りに用いる釣竿、特に、リールからの釣糸を竿体の外周面側において順次案内するタイプの釣竿の製造方法に関する。
【０００２】
【従来の技術】
魚釣りに用いる釣竿の竿体の外周面には、釣糸を支持しつつリールと穂先側との間で案内する釣糸ガイドが装着されている。この釣糸ガイドは、竿体周面から起立するように位置する脚部と、脚部の一端に形成され竿体に固定される固定部と、脚部の他端に配置され釣糸が挿通するセラミックス等の硬質部材からなるガイドリングとを有する。そして、この脚部先端の固定部が竿体の周面に例えば合成樹脂と巻糸とによって固定されている。
【０００３】
このような竿体に別部材を装着するタイプの釣糸ガイドでは、竿体に釣糸ガイドを固定するための部材が必要となること、別途釣糸ガイドを装着するので竿体周面から径外方向に釣糸ガイドが突出するので糸絡みが生じ易いこと、釣糸ガイドからの振動（アタリ）を竿体に良好に伝達し難くなること等の問題点が指摘されてきた。そこで、このような別部材を竿体に装着するのに代えて、ガイドリングを直接樹脂製の保持部材で竿体周面に固定した釣竿が提案されている（特許文献１参照）。
【０００４】
しかし、上述の特許文献においては、ガイドリングを保持部材となる合成樹脂部分内に配置しつつインジェクション成型することやプリプレグ素材でガイドリングを固定すること等が予定されており、成型作業が複雑且つ煩雑であり製造コストもかさむ。そこで、より簡易な構造乃至製法において、釣竿の竿体に一体的に釣糸を案内する部分を形成する方法が求められている。
【０００５】
【特許文献１】
特開平５−１１１３４０号公報（第４欄〜第５欄，図１等）。
【０００６】
【発明が解決しようとする課題】
本発明の課題は、簡易な方法で釣糸を案内する部分を竿体に一体的に形成できる釣竿の製造方法を提供することにある。
【０００７】
【課題を解決するための手段】
発明１の方法は、魚釣りに用いる釣竿の製造方法であって、繊維強化樹脂から筒状の竿体を製造する工程と、竿体の周面に熱硬化性樹脂を塗布する工程と、竿体の周面に塗布した熱硬化性樹脂上に棒材を配置する工程と、配置した棒材の周面からさらに熱硬化性樹脂を塗布し、竿体の径外方向に盛り上がる丘状部分を形成する工程と、熱硬化性樹脂の硬化後に棒材を引き抜く工程とを含む。
【０００８】
竿体は周知の方法で製造する。即ち、芯材に炭素繊維若しくはガラス繊維などの強化繊維を配向した繊維強化樹脂を巻回し焼成して筒状の竿体を製造する。製造した竿体の周面の所定の箇所に、熱硬化性樹脂を塗布し，棒材を配置し、さらに熱硬化性樹脂を上塗りして丘状部分とし、パイプを引き抜くことで、竿体の周面に軸方向（長手方向）に釣糸が挿通する挿通路が容易に形成される。このように形成する丘状部分は、竿体周面から大きく突出することもなく糸絡みも少ない。また、竿体製造後の極めて容易に形成できる。
【０００９】
【発明の実施の形態】
以下、本発明の一実施形態について図面を参照しつつ説明する。
この釣竿は、図１に示すように、複数の竿体を並継形式で連結して構成されている。例えば、この釣竿は、もっとも竿元側に位置する元竿１，その穂先側に連結される穂先竿２の２本の竿体を連結することで構成されている。
【００１０】
元竿１及び穂先竿２は、それぞれ炭素繊維やガラス繊維などの強化繊維のエポキシ樹脂等の熱硬化性樹脂を含浸させたプリプレグ素材をシート状若しくはテープ状に加工したものを焼成して製造されている。穂先側ほど小径化する先細りテーパが施されている。穂先竿２については、例えば、中空の筒状体の穂先側に中実のソリッド体を一体的に連結して形成してもよい。
【００１１】
元竿１の周面にはリール３を脱着自在に装着可能なリールシート４が設けられ、リールシート４の軸方向の前後にはグリップ５などが装着されている。さらに、リールシート４の穂先側の周面には、周知の釣糸ガイド６が装着されると共に、その穂先側には軸方向に間隔を隔てて複数の丘状部分１０が形成されている。また、穂先竿２の周面にも、同様に、軸方向に間隔を隔てて複数の丘状部分１０が形成され、穂先側端部にはトップガイド７が装着されている。
【００１２】
図２に示すように、丘状部分１０は各竿体の周面の周方向の一部において各竿体の周面より盛り上がるように形成されている。また、複数の丘状部分１０はそれぞれその盛り上がり部分が周方向において一致するようになっている。この周方向位置はリールシート４のリール載置面に合致する。この丘状部分１０は、後に詳しく説明するように、エポキシ樹脂等の熱硬化性樹脂から形成される。この丘状部分１０は、その形成される釣竿の位置によっても異なるが、軸方向におよそ１．５〜４．０ｍｍ程度の長さを有し、元竿１若しくは穂先竿２の周面からの高さは２．０〜４．０ｍｍ程度に設定される。丘状部分１０の軸方向の両端は竿体の周面にかけてなだらかに傾斜する傾斜面となっており、この両傾斜面から丘状部分１０を軸方向に貫通する貫通孔１０ａが形成されている。この貫通孔１０に釣糸Ｌが挿通するので、釣糸Ｌの円滑な案内及びこの釣糸Ｌの丘状部分１０への糸絡みなどを防止するためには、上述のような軸方向長さ及び高さを設定するのが好ましい。
【００１３】
この釣竿を使用する際には、元竿１の穂先側に穂先竿２を並継形式に連結し、リールシート４にリール３を装着し、リール３からの釣糸Ｌを、釣糸ガイド６，各丘状部分１０の貫通孔１０ａを通して、トップガイド７へと導くことになる。
次に、このような丘状部分１０を有する竿体について、元竿１を例にして説明する。
【００１４】
まず、元竿１自体を周知の方法によって製造する。具体的には、所定の先細りテーパを施した先細り筒状の芯材を準備し、その周面に必要に応じて離型剤を塗布した上で、プリプレグ素材を巻回する。例えば、テープの長手方向に炭素繊維が引き揃えられた炭素繊維強化樹脂素材からなるプリプレグテープを螺旋状に芯材に巻回し、その外周面に、芯材の長手方向に炭素繊維が引き揃えられた炭素繊維強化樹脂ならなるプリプレグシートを巻回する。巻回するプリプレグ素材は任意に設定可能であり、その巻回数も適宜設定する。このように芯材に巻回したプリプレグ素材を炉内において焼成し、芯材を脱芯し、周面を研磨加工等して元竿１を構成する筒状部分を形成する。その後、リールシート４等を装着する。
【００１５】
次に、図３（ａ）に示すように、元竿１の所定の軸方向位置の周面に、エポキシ樹脂等の熱硬化性樹脂Ｓを周面全体に塗布する。なお、この実施形態では、元竿１の周面全体に熱硬化性樹脂Ｓを塗布しているが、リールシート４の載置面側のみに塗布してもよい。この熱硬化性樹脂Ｓの厚塗りによって一定の厚みを形成した後に、図３（ｂ）に示すように、棒材１１を所定の周面方向位置において元竿１の軸方向に配置する。その後、さらにこの棒材１１の周面から熱硬化性樹脂Ｓを丘状に厚塗りしてゆく（図３（ｃ）参照）。なお、この棒材１１の周面には必要に応じて離型剤などを塗布しておいてもよい。
【００１６】
熱硬化性樹脂Ｓが硬化した後に、この棒材１１を軸方向に引き抜きその跡に軸方向への貫通孔を形成し、図３（ｄ）に示すように、熱硬化性樹脂Ｓを研磨加工して所定の形状に整えて、丘状部分１０とする。
このような熱硬化性樹脂の塗布作業により、比較的簡易に釣糸Ｌを案内するための丘状部分１０を各竿体の周面に一体的に形成できる。また、このように竿体の周面に一体的に丘状の部分を形成することで、この丘状部分１０への釣糸Ｌの糸絡みも抑えられる。
【００１７】
［他の実施形態］
（ａ）上記実施形態では、リール３からの釣糸Ｌを最初に案内するために従前の釣糸ガイド６を元竿１の周面に配置しているが、これを配置することなく、全て丘状部分１０に代えることもできる。
（ｂ）図５に示すように、棒材１１を熱硬化性樹脂Ｓ上に配置する際に、セラミックスなどのガイドリング１２も配置してもよい。例えば、棒材１１の軸方向の前後２カ所にガイドリング１２を配置し、棒材１１とガイドリング１２とを熱硬化性樹脂Ｓで埋め込み、棒材１１のみを引き抜くことで、ガイドリング１２を内在させた丘状部分２０を製造することもできる。
【００１８】
若しくは、上記実施形態のようにガイドリングを内在させることなく丘状部分を形成し、その貫通孔にガイドリングを後にはめ込んで固定してもよい。
【００１９】
【発明の効果】
本発明に係る方法によれば、竿体の周面に釣糸を案内するための部分を容易に一体的に製造できる。
【図面の簡単な説明】
【図１】本発明の一実施形態を採用した釣竿ガイドの全体図。
【図２】図１の元竿１の丘状部分１０の拡大図。
【図３】図２の丘状部分１０の製造工程を示した図。
【図４】図２の丘状部分１０付近の断面図。
【図５】他の実施形態を採用した丘状部分２０の製造工程を示した図。
【符号の説明】
１　元竿
２　穂先竿
１０　丘状部分
１１　棒材
１２　ガイドリング
【図１】
2004097025.tif 000003
【図２】
2004097025.tif 000004
【図３】
2004097025.tif 000005
【図４】
2004097025.tif 000006
【図５】
2004097025.tif 000007